(57)【要約】      （修正有）【課題】健常者はもとより、握力が低下した人、指先の動作機能が衰えた高齢者、手や指の関節が硬化し屈伸することの困難な障害者等が弦楽器を簡単かつ容易に演奏することができ、音楽療法におけるリハビリテーションに活用できる弦楽器用ピックを提供する。【解決手段】弦楽器の弦を弾く為の爪面１と、爪面１から延長形成した下側支持面２と、下側支持面２から更に延長形成した面を上方向に断面コ字状又は湾曲状に折り曲げた部分をともなった上側支持面３と、が連続面を構成する弦楽器用ピックであり、望ましくは弾性材料からなり、上側支持面３がその先端部に向けて下方向に傾斜し、上側支持面３及び下側支持面２の各先端部が指先の位置ズレ防止を可能ならしめる形状をなす。【選択図】図１
0003147329.tif 000002
【実用新案登録請求の範囲】
【請求項１】
弦楽器の弦を弾く為の爪面と、該爪面から延長形成した下側支持面と、該下側支持面から更に延長形成した面を上方向に断面コ字状又は湾曲状に折り曲げた部分をともなった上側支持面と、が連続して構成される弦楽器用ピック。
【請求項２】
上側支持面が断面コ字状又は湾曲状に折り曲げた部分の上端から先端部に向けて下方向に傾斜した形態のものである請求項１記載のピック。
【請求項３】
上側支持面の先端部が親指のズレ防止用突起面を形成してなる請求項１又は２記載のピック。
【請求項４】
ピックが弾性板材料からなり、そのサイズは握り面である下側支持面及び上側支持面の奥行き寸法が約３〜５ｃｍであり、横幅寸法が約５〜７ｃｍであることを特徴とする請求項１〜３のいずれか１項に記載のピック。
【請求項５】
ピックが音楽療法のための弦楽器の操作用具及び／又は挟み用クリップの代替として用いることを特徴とする請求項１〜４のいずれか１項に記載のピックの利用。
【考案の詳細な説明】
【技術分野】
【０００１】本考案は、握力が低下した人や指先の運動機能が劣化した高齢者や障害者でも、簡便に安定した演奏ができる弦楽器用のピックに関するものであり、とりわけ音楽療法における弦楽器の操作に好適に利用される。
【背景技術】
【０００２】一般に弦楽器に使用するピックは、弦楽器の種類や演奏方法により材質や形状が異なり、例えば、ギター、ウクレレ、マンドリン等の洋楽器の演奏用には、セルロイド、ナイロン、メタル等の材質でトライアングル型（正三角形）、ティアドロップ型（たまご型）、ジャズタイプ（先端が丸いたまご型）、クラシックギター用サムピック（親指の先に差し込み爪が横に向いた形）等の形状があり、また、琴、三味線、琵琶等の和楽器の演奏用には竹、木（つげ等）、プラスチック、象牙、牛の角等の材質で琴爪（角型の爪を指先に差し込み前側に爪を延長した様な形）、ばち（いちょう葉の様な形）等の形状がある。
【考案の開示】
【考案が解決しようとする課題】
【０００３】しかしながら、前記の洋楽器用ピックのうちトライアングル型、ティアドロップ型、ジャズタイプ等の場合は、弦を弾く為の爪の部分の厚みとピック本体をつかむ部分の厚みとがほぼ同一で、１ｍｍ程度の薄い平面的な形状をなし、ピック全体の大きさも２〜３ｃｍ程度と比較的小さい。そのため握力の低下した高齢者や指の関節を曲げることが困難な障害者にとっては、薄型で小さいピック本体をつかみにくく、また、演奏時に落とし易いし、非演奏時には紛失し易い等の問題点があった。【０００４】また、前記クラシックギター用サムピックや琴爪の場合は、演奏に際して各指先の微妙な動作や熟練技術が必要になり、指先の運動機能が低下したり衰えた高齢者にとっては極めて困難な操作や動作となる。三味線や琵琶のばち等の場合は、各々の弦楽器専用に開発されたものであり、それらの特徴として一つの弦を弾いて音を発生させる単音を主に弾く為に有用な形状であるため、複数の弦を同時ないしほぼ同時に弾いて音を発生させる重音や和音を弾く為には比較的困難な形状であると共に、弦を弾く為の爪の部分とばち本体をつかむ部分との長さが比較的離れているため、初心者が弦とばちとの位置感覚を体得するまでには多大の労力を費やすことを余儀なくされる。【０００５】これらの現状に鑑み、本考案では、握力が低下したり、指先の運動機能が衰えた高齢者の弦楽器演奏用として、また、指先の関節がかたく曲げることが困難になった障害者等の運動機能の回復の為のリハビリテーション用としても簡便かつ容易に使用でき、とりわけ音楽療法の場面で有効利用される弦楽器用ピックを開発し提供することを課題とした。
【課題を解決するための手段】
【０００６】前記課題を解決するために、本考案のピックにおいては、弦楽器の弦を弾く為の爪面と、該爪面から延長形成した下側支持面と、該下側支持面から更に延長形成した面を上方向に断面コ字状又は湾曲状に折り曲げた部分をともなった上側支持面と、が連続して構成される形態を必須とする。この弦楽器用ピックを使用するにあたっては、下側支持面の下面に人差し指から小指までをあてがい、上側支持面の上面を親指と親指のつけ根部分で支えて該ピック本体を握る。【０００７】本考案の弦楽器用ピックでは、上側支持面において断面がコ字状又は湾曲状に折り曲げた部分の上端から先端部に向けて前記の上側支持面が下方向に傾斜した形態のものが好ましい。更には、上側支持面の先端部が親指のズレ防止用突起面を形成してなる形態のものがより好ましい。【０００８】また、手や指先が不自由な高齢者や障害者を対象にすることを考慮して、本考案の弦楽器用ピックは弾性板材料からなり、そのサイズはピックの握り面である下側支持面及び上側支持面の奥行き寸法が約３〜５ｃｍであり、横幅寸法が約５〜７ｃｍであるものがさらに望ましい。本考案のピックは、音楽療法のための弦楽器の操作用具として、及び／又は、楽譜等の挟み用クリップの代替として好適に利用される。
【考案の効果】
【０００９】本考案の弦楽器用ピックは、人が物を掴むときに手の内側に必然的に形成される空間と同様若しくは類似の形状である為、従来の平面的なピックを指先で掴む場合とは異なり、健常人はもとより指先の動作機能が低下したり指先に力が入らず物が掴みにくくなった高齢者や障害者でも容易に使用することができる。また、弦楽器を操作して延焼する際に、親指やその他の指の位置が爪面方向へずれることを防止でき、より一層力を要することなく楽に本ピックを握ることが可能となる。【００１０】更に、爪面の先端部からピックを握る指先迄の距離を一定に維持できるので、初心者や未熟練者でも弦楽器の弦と本ピックとの位置感覚を容易に実感、体得することができる。【００１１】本考案のピックは、従来のものに比べてサイズが大きく、前述のような形状を有する為、握り具合の安定性が高められ、使用時にピックが手から離脱することを防止できる。また、紙や本等を挟むクリップとしての機能を合わせ持っている為、楽器の演奏時には楽譜本や譜面紙を固定したり、非使用時には本ピックを所定の場所に挟みとめておくことが可能であり、紛失防止の点でも効果がある。【００１２】かかる本考案の弦楽器用ピックは、一本ずつの弦を弾いて発生する単音を生じさせる弦楽器よりも複数本の弦を同時乃至はほぼ同時に弾いて発生する重音、和音を生じさせる弦楽器、例えば、大正琴や特開平１１−３５２９５６号公報に記載の和音発生装置等の演奏に適しており、握力が弱くなったり、衰えたり、指先の動作機能が鈍くなった高齢者の楽器演奏用に、また、指先や手の関節が硬化して屈伸させることが困難になった障害者の運動機能回復の為のリハビリテーションや音楽療法に好適に利用される。
【考案を実施するための最良の形態】
【００１３】以下、実施例を参考にして本考案を更に具体的に説明する。（実施例１）図１は本考案の弦楽器用ピックの一例を示したものである。すなわち、本考案の弦楽器用ピックは弦楽器の弦を弾く為の爪面１と、爪面１から延長形成した下側支持面２と、下側支持面２から更に延長形成した面を上方向に断面がコ字状になるように折り曲げた部分をともなった上側支持面３と、が連続して構成される形態のものである。【００１４】爪面１の先端部はたまごの先端部と同様な湾曲線状に形成されており、爪面１の後方側すなわち先端部とは逆方向側に下側支持面２が連続して延長形成されている。下側支持面２に連続して更に後方側に延長して上側支持面３が形成されており、上側支持面３は下側支持面２を上方向に断面がコ字状に折り曲げた部分をともなっている。又、この上側支持面３は、断面がコ字状に折り曲げた部分の上端から上側支持面３の先端部に向けて下向きに傾斜した面になるような形状となっている。【００１５】このピックを使用するにあたっては、下側支持面２の下面に人差し指から小指までの任意の指をあてがい、上側支持面３の上面を親指及び親指の付け根部分で支える。すなわち、下側支持面２とコ字状折り曲げ部を介した上側支持面３とからなる本考案のピックの形状は、人が物を握る際に手の内側に自然に形成される形状と同様である為、簡便かつ容易に本考案のピックを握ることができる。なお、図１において、上側支持面３の先端部を湾曲状に折り曲げて突起面４を形成しているが、これは親指のズレを防止する為の工夫である。また、爪面１の先端部の形状は、演奏に用いる楽器や音楽の種類によって任意に変形させたり、演奏する操作者の好みや発生する音色等により適宜に尖らせたり薄くしてもよい。【００１６】本考案の弦楽器用ピックの材質はセルロイド、ナイロン、アクリル樹脂、プラスチック等の合成樹脂や金属で、その厚みが１ｍｍ程度の弾性を有する板状物がよい。当該ピックのサイズは任意であるが、指先の動作機能が不自由な高齢者や障害者でも容易に掴むことができ、握り面における安定性を高める為、演奏者の手の大きさをも考慮して下側支持面２及び上側支持面３の奥行き寸法ａを約３〜５ｃｍとし、横幅寸法ｂを約５〜７ｃｍとすることが望ましい。また、前記のように断面をコ字状に折り曲げた部分の長さ（本ピックの高さ）ｃは約１〜２ｃｍとするのがよい。なお、前記折り曲げぶの形状は図２に示すようなアールのついた湾曲状になしても差し支えない。【００１７】本考案の弦楽器用ピックは、前記の弾性材料、下側支持面２と上側支持面３とから形成される空間形状を利用して譜面紙や楽譜本の端を挟んだり、衣類のポケットや襟の縁に挟み込んで本ピックを便宜的に固定する為のクリップの代替として利用することが可能である。また、楽器を演奏する動作を通して身体機能の不具合を回復させることをねらいとする音楽療法の場面において有効活用される。【００１８】（実施例２）図２は本考案の弦楽器用ピックの他の実施例を示したものである。爪面１と下側支持面２との境目部分に下方向に段差が生じるように折り曲げたズレ防止用段差面５を形成させており、これにより人差し指から小指までの指が下がｗ支持面２の所望の位置からずれることを防止できる。下側支持面２から上側支持面３に繋がる部分は湾曲状に折り曲げた形状にしており、本ピックと手の内側とがよりフィットするように改良されている。【００１９】また、ベルトホルダー６を下側支持面２と上側支持面３から形成される空間に通した構成になっており、本ピックの下側支持面２に指や手を接着、固定させる機構になっている。本ピックの使用時にはこれを手の甲側に回してテープでとめ、楽器の操作じに本ピックが手から脱落しないよう保持することが可能である。ベルトホルダー６は布、皮革等の材質を適当な長さの帯状になしたものであるが、この代替として輪ゴムやゴム紐等を用いてもよい。
【実施例】
【００２０】実施例１
アクリル樹脂板（厚み１ｍｍ）を加工して図１に示す形状の弦楽器用ピックを作成した。このピックのサイズは図１のａが５ｃｍ、ｂが７ｃｍ、ｃが２ｃｍであった。次に、手の握力が衰えた高齢者１０名（６４歳〜８５歳の男女各５名）にこのピックを使用してウクレレとギターを操作してもらったところ、ピックの握り易さ、操作時の容易さ（力の入れ具合及び指の位置のずれ具合）、操作の持続性の点で、従来の平板小型ピックと比較していずれも優れているとの評価を得た。【００２１】実施例２
プラスチック製の平板（圧み１ｍｍ）を加工して図２に示す形状の弦楽器用ピックを作成した。これを指先の動作機能が低下した障害者の手に帯状布で装着して、琴の弦を弾く操作を行ってもらった。この結果、実施例１の場合と同様に良好な評価を得た。
【産業上の利用可能性】
【００２２】本考案の弦楽器用ピックは、健常者はもとより高齢者、障害者、幼児等が簡便かつ容易に取り扱うことができる、従来の弦楽器用ピックの代替として、また、クリップ機能を付加した弦楽器用ピックとして利用できる。
【図面の簡単な説明】
【００２３】
【図１】本考案の音楽療法用ピックの実施例１を示す外観図である。
【図２】本考案の音楽療法用ピックの実施例２を示す断面図である。
【符号の説明】
【００２４】１：爪面
２：下側支持面
３：上側支持面
４：ズレ防止用突起面
５：ズレ防止用段差面
６：ベルトホルダー
ａ：下側支持面及び上側支持面の奥行き寸法
ｂ：下側支持面及び上側支持面の横幅寸法
ｃ：下側支持面と上側支持面との曲げ部分の高さ寸法
【図１】
0003147329.tif 000003
【図２】
0003147329.tif 000004